(57)【要約】    【課題】  従来技術における課題を克服した粉砕物入り断熱シート及びその製造方法を提供することである。    【解決手段】  粉砕物入り断熱シート（１０）は、袋（１２）と、袋の内部に収容された粉砕物（１４）とを備え、袋には、粉砕物及び空気を吹き込むための吹込口（１２ａ）と、袋内から粉砕物を排出せずに実質的に空気のみを排出するようにフィルタが取り付けられた排気口（１２ｂ）と、多数の細長い室（１２ｃ）を袋内に形成するための多数の仕切り（１２ｄ）とが設けられていることを特徴とする。【選択図】  図１
2005264473.tif 000002
【特許請求の範囲】
【請求項１】
袋と、前記袋の内部に収容された粉砕物とを備え、
前記袋には、前記粉砕物及び空気を吹き込むための吹込口と、前記袋内から前記粉砕物を排出せずに実質的に空気のみを排出するようにフィルタが取り付けられた排気口と、多数の細長い室を前記袋内に形成するための多数の仕切りとが設けられていることを特徴とする粉砕物入り断熱シート。
【請求項２】
前記粉砕物が、籾殻、蕎麦殻、又は植物を焼成し粉砕することによって形成される炭化物、或いは、前記炭化物に断熱材料の粉砕物を混入したもののいずれかであること特徴とする請求項１に記載の粉砕物入り断熱シート。
【請求項３】
粉砕物入り断熱シートの製造方法であって、
吹込口と、排気口と、多数の細長い室を形成するための多数の仕切りが設けられた袋を準備する段階と、
前記吹込口から前記袋内に粉砕物及び空気を吹き込みつつ、前記排気口から実質的に空気のみを排出させることによって、前記袋内に前記粉砕物を収容する段階と、
を含むことを特徴とする方法。
【請求項４】
前記粉砕物が、籾殻、蕎麦殻、又は植物を焼成し粉砕することによって形成される炭化物、或いは、前記炭化物に断熱材料の粉砕物を混入したもののいずれかであること特徴とする請求項３に記載の方法。
【発明の詳細な説明】
【技術分野】
【０００１】
本発明は、粉砕物入り断熱シートおよび該シートの製造方法に関する。本発明の粉砕物入り断熱シートは、キャンプ地等におけるバンガロー用資材、魚釣りや登山用等のテント用資材、身障者等のための入浴設備用資材の他、一般建築物の断熱及び／又は遮音用資材等の広範な用途に用いられる。
【背景技術】
【０００２】
従来、建築物の断熱材としては、一般的に、グラスウール、ロックウール、ウレタン、石綿、発泡板などが用いられている。また、バンガローの資材としては木製材料、テントの資材としては、布材料で用いられている。
【発明の開示】
【発明が解決しようとする課題】
【０００３】
しかしながら、グラスウールやロックウール等を断熱材として使用すると、設置した後時間が経過すると、グラスウール等が建物内の湿度を吸収するため、壁の下方に落下してしまい、本来の断熱効果を発揮できない例が多く見受けられた。また、グラスウール等が使用されている建築物を解体する際に有害物質が飛散する等して、周囲環境に悪影響を与えるという不都合もある。また、ウレタンや石綿等を用いた場合には、火災時に有毒ガスが発生するおそれがある。さらに、木製材料や布材料を使用した場合には、十分な断熱効果が発揮されないという弊害もある。
【０００４】
したがって、本発明は、従来技術における上述の課題を克服した粉砕物入り断熱シートおよび該シートの製造方法を提供することを目的としている。
【課題を解決するための手段】
【０００５】
本願請求項１に記載の粉砕物入り断熱シートは、袋と、前記袋の内部に収容された粉砕物とを備え、前記袋には、前記粉砕物及び空気を吹き込むための吹込口と、前記袋内から前記粉砕物を排出せずに実質的に空気のみを排出するようにフィルタが取り付けられた排気口と、多数の細長い室を前記袋内に形成するための多数の仕切りとが設けられていることを特徴とするものである。
【０００６】
本願請求項２に記載の粉砕物入り断熱シートは、前記請求項１の断熱シートにおいて、前記粉砕物が、籾殻、蕎麦殻、又は植物を焼成し粉砕することによって形成される炭化物、或いは、前記炭化物に断熱材料の粉砕物を混入したもののいずれかであること特徴とするものである。
【０００７】
本願請求項３に記載の粉砕物入り断熱シートの製造方法は、吹込口と、排気口と、多数の細長い室を形成するための多数の仕切りが設けられた袋を準備する段階と、前記吹込口から前記袋内に粉砕物及び空気を吹き込みつつ、前記排気口から実質的に空気のみを排出させることによって、前記袋内に前記粉砕物を収容する段階とを含むことを特徴とするものである。
【０００８】
本願請求項４に記載の粉砕物入り断熱シートの製造方法は、前記請求項３の製造方法において、前記粉砕物が、籾殻、蕎麦殻、又は植物を焼成し粉砕することによって形成される炭化物、或いは、前記炭化物に断熱材料の粉砕物を混入したもののいずれかであること特徴とするものである。
【発明の効果】
【０００９】
本発明の断熱シートは、内部に炭化物が収容されているため、アセトアルデヒド、ホルムアルデヒド等の有害物質の濃度を低減することができるとともに、火災時の有毒ガスの発生並びに解体時の有毒物質の飛散を減らすことができる。また、本発明の断熱シートは、高断熱効果とともに調湿効果並びに消臭効果を期待することもできる。また、本発明の断熱シートでは、粉砕物が収容された室がパイプ状の部材として機能するため、断熱シート全体の剛性が高められ、構造資材として有用である。
【発明を実施するための最良の形態】
【００１０】
次に図面を参照して、本発明の好ましい実施の形態に係る粉砕物入り断熱シートについて詳細に説明する。図１は、本発明の好ましい実施の形態に係る粉砕物入り断熱シートを示した斜視図である。図１において全体として参照符号１０で示される本発明の好ましい実施の形態に係る粉砕物入り断熱シートは、袋１２と、袋１２の内部に収容された粉砕物１４とを備えている。
【００１１】
袋１２は、全体として矩形の形状に形作られている。粉砕物１４は、詳細には後述するように、空気とともに袋１２内に吹き込まれるが、袋１２には、粉砕物及び空気の吹込口１２ａと、袋１２内から空気を排出するための排気口１２ｂとが設けられている。排気口１２ｂには、粉砕物を排出せずに実質的に空気のみを排出できるように、フィルタ（図示せず）が取り付けられている。フィルタとしては、粗目の布などの任意の材料が用いられる。袋１２の内部には、多数の細長い矩形の室１２ｃが形成されるように、仕切り１２ｄが設けられている。
【００１２】
袋１２は、合成樹脂材料、織布、又は不織布で形成されている。また、仕切り１２ｄは、ヒートシール、縫合などの任意の公知の手段で形成されている。
【００１３】
袋１２に仕切り１２ｄを設けることにより、袋１２内に収容された粉砕物１４が一方に片寄るのを防ぐとともに、粉砕物１４が収容された室１２ｃがパイプ状の部材として機能するため断熱シート１０全体の剛性を高めるのに役立つ。
【００１４】
粉砕物１４は、籾殻、蕎麦殻などの他、竹などの植物を焼成し粉砕することによって形成される炭化物によって構成される。或いは、粉砕物１４は、炭化物に、グラスウール、ロックウール等の断熱材料の粉砕物を混入してもよい。なお、炭化物には、消臭作用、ガス吸着作用、ホルムアルデヒドの分解作用、調湿作用などがあることが知られており、また、断熱効果を備えている。特に、籾殻を焼成することによって得られる籾殻炭化物は、備長炭の約１０倍の気孔があるため、顕著な消臭作用、ガス吸着作用、ホルムアルデヒドの分解作用、調湿作用などを有している。
【００１５】
次に、図３を参照して、以上のように構成された断熱シート１０の製造方法について説明する。図３において参照符号２０で示される装置は、袋１２に粉砕物１４を吹き込むための吹き込み装置である。吹き込み装置２０は、炭化物が投入される第１ホッパ２０ａと、断熱材料の粉砕物が投入される第２ホッパ２０ｂと、第１及び第２ホッパ２０ａ、２０ｂの下方に配置された混合室２０ｃとを備えており、第１ホッパ２０ａと混合室２０ｃは、第１弁２０ｄを介して開閉可能に連通し、第２ホッパ２０ｂと混合室２０ｃは、第２弁２０ｅを介して開閉可能に連通している。
【００１６】
混合室２０ｃ内には、攪拌手段２０ｆ（図３では、スクリューコンベアとして図示されている）が配置されており、混合室２０ｃ内に入った粉砕物は、攪拌手段２０ｆによって攪拌混合された後、排出口２０ｇに向かうようになっている。また、排出口２０ｇに隣接して空気噴出口２０ｈが設けられており、空気供給源２０ｉから空気噴出口２０ｈに向けて空気が供給されるようになっている。なお、図３において、参照符号２０ｊは、攪拌手段２０ｆを回転させるための駆動源を示している。
【００１７】
図３に示されるように、排出口２０ｇと断熱シート１０の吹込口１２ａとがパイプ（又はチューブ）を介して接続されており、吹込口１２ａ及びパイプから断熱シート１０内に、粉砕物１４が空気とともに流入し、粉砕物１４が各室１２ｃ内に充填される一方、空気が排気口１２ｂから断熱シート１０外に排出される。
【００１８】
図４は、粉砕物入り断熱シート１０の使用の一例を示した図である。図４では、断熱シート１０は、蒲鉾形のハウスの壁材および屋根材として用いられている。
【００１９】
また、内壁と外壁との間の空間（図示せず）に断熱シート１０を挿入してもよい。或いは、内壁と外壁との間の空間に、断熱シート１０ではなく、粉砕物１４自体を入れてもよい。
【００２０】
図５は、籾殻炭化物の消臭性能を検証するための行った試験の結果を示した表である。本試験では、一定濃度のホルムアルデヒドに対する籾殻炭化物消臭性能を時間を追って測定した。測定に際しては、容量５リットルのテドラーバッグに、籾殻炭化物１グラムを入れ、その後、３リットルのホルムアルデヒド・ガス（濃度既知）を注入する。次いで、テドラーバッグを２８°Ｃの恒温器に入れ、検知管を用いて、一定時間毎にホルムアルデヒド濃度を測定した。一方、籾殻炭化物の消臭性能と対比させるため、籾殻炭化物を入れないテドラーバッグも準備した。試験の結果、籾殻炭化物を入れないテドラーバッグのホルムアルデヒド濃度は、２４時間経過後も殆ど変化がないのに対して、籾殻炭化物を入れたテドラーバッグのホルムアルデヒド濃度は、４時間経過すると、激減することが分かった。これにより、籾殻炭化物の良好な消臭性能が実証された。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
例えば、前記実施の形態において、矩形の袋１２が用いられているため、断熱シート１０は矩形になるが、所望の用途に合わせて任意の形状の袋（例えば、図４に示されるハウスでは、端壁を形成する断熱シート１０は、弧状に形作られている）を用いてもよい。
【図面の簡単な説明】
【００２３】
【図１】本発明の好ましい実施の形態に係る粉砕物入り断熱シートを示した斜視図である。
【図２】図２（ａ）は図１における線２ａ−２ａに沿って見た断面図、図２（ｂ）は図１における線２ｂ−２ｂに沿って見た断面図である。
【図３】図１の断熱シートの製造過程を模式的に示した図である。
【図４】図１の断熱シートを使用して作られた蒲鉾形のハウスを示した斜視図である。
【図５】籾殻炭化物の消臭性能を検証するための行った試験の結果を示した表である。
【符号の説明】
【００２４】
１０  断熱シート
１２  袋
１２ａ  吹込口
１２ｂ  排気口
１２ｃ  室
１２ｄ  仕切り
２０  吹き込み装置
【図１】
2005264473.tif 000003
【図２】
2005264473.tif 000004
【図３】
2005264473.tif 000005
【図４】
2005264473.tif 000006
【図５】
2005264473.tif 000007